(57)【要約】【課題】ハードディスクレコーダにおいて、録画が途中で停止、中止されてしまうことを防ぎ、また、お気に入りのコンテンツの消失を防ぐ。【解決手段】ハードディスクレコーダは、ＨＤＤ（ハードディスクドライブ）に録画されているコンテンツを自動的に削除する自動削除機能手段と、コンテンツの自動削除の防止を設定する自動削除防止設定手段を備える。ユーザのお気に入りのコンテンツに自動削除の防止が設定される。ハードディスクレコーダは、録画動作中にＨＤＤの記録残容量が所定値以下になると、自動削除機能を実行し、自動削除の防止が設定されていないコンテンツの中から（＃９でＹＥＳ）、再生回数が１回以上のコンテンツに対して（＃１０でＹＥＳ）、再生回数が最小で録画した日時が最も古いコンテンツを選出し（＃１１、＃１２、＃１３）、そのコンテンツを削除して（＃１４）、ＨＤＤの記録容量を確保する。【選択図】      図５
2004208204.tif 000002
【特許請求の範囲】
【請求項１】
放送局から配信されるテレビ放送信号を受信する受信手段と、前記受信手段で受信したテレビ放送信号を基に、本装置に接続されるディスプレイに映像を映し出すための映像信号を生成する映像信号生成手段と、前記映像信号生成手段により生成された映像信号を記録することにより前記テレビ放送信号に含まれるテレビ番組のコンテンツを録画するハードディスクと、前記ハードディスクに対するコンテンツの録画動作及び再生動作を制御する録画再生制御手段とを備えたハードディスクレコーダにおいて、
前記録画動作中に、前記ハードディスクの記録容量の残容量を検出し、その残容量が所定値以下になった場合に、前記ハードディスクに既に録画されている古いコンテンツを自動的に削除する自動削除機能手段と、
前記ハードディスクに記録される任意のコンテンツに対して前記自動削除機能手段による自動削除を実行させない自動削除防止設定をユーザの操作により施す自動削除防止設定手段と、
前記録画再生制御手段によるコンテンツの録画動作及び再生動作に基づいて、コンテンツの録画日時及び再生回数を管理するコンテンツ管理手段とを備え、
前記自動削除機能手段は、前記自動削除防止設定手段による自動削除防止設定が施されていないコンテンツの中から、前記コンテンツ管理手段により管理されるコンテンツの録画日時及び再生回数に基づいて、再生回数が１回以上のコンテンツに対して再生回数が最小であり録画した日時が最も古いコンテンツを削除することを特徴とするハードディスクレコーダ。
【請求項２】
放送局から配信されるテレビ放送信号を受信する受信手段と、前記受信手段で受信したテレビ放送信号を基に、本装置に接続されるディスプレイに映像を映し出すための映像信号を生成する映像信号生成手段と、前記映像信号生成手段により生成された映像信号を記録することにより前記テレビ放送信号に含まれるテレビ番組のコンテンツを録画するハードディスクと、前記ハードディスクに対するコンテンツの録画動作及び再生動作を制御する録画再生制御手段とを備えたハードディスクレコーダにおいて、
前記ハードディスクの記録容量の残容量を検出し、その残容量が所定値以下になった場合に、前記ハードディスクに既に録画されているコンテンツを所定の優先順位に従って自動的に削除する自動削除機能手段と、
前記ハードディスクに記録される任意のコンテンツに対して前記自動削除機能手段による自動削除を実行させない自動削除防止設定をユーザの操作により施す自動削除防止設定手段とを備えたことを特徴とするハードディスクレコーダ。
【請求項３】
前記録画再生制御手段によるコンテンツの録画動作及び再生動作に基づいて、コンテンツの録画日時及び再生回数を管理するコンテンツ管理手段をさらに備え、
前記自動削除機能手段は、前記自動削除防止設定手段による自動削除防止設定が施されていないコンテンツを前記コンテンツ管理手段により管理されるコンテンツの録画日時及び再生回数に基づく優先順位に従って削除することを特徴とする請求項２に記載のハードディスクレコーダ。
【発明の詳細な説明】
【０００１】
【発明の属する技術分野】
本発明は、テレビ放送信号により配信されるテレビ番組をＨＤＤ（ハードディスクドライブ）に録画するハードディスクレコーダに関する。
【０００２】
【従来の技術】
従来、放送局から配信されるテレビ放送信号を受信してテレビ放送信号に含まれるコンテンツ（テレビ番組の映像）を内蔵のＨＤＤに録画すると共に、ＨＤＤに録画したコンテンツを再生してその映像をディスプレイに表示するハードディスクレコーダがある。この種のハードディスクレコーダは、コンテンツを内蔵のＨＤＤに録画するため、ＨＤＤの記録容量の残容量がなくなると、それ以上コンテンツを録画できなくなってしまう。このため、録画開始前に、これから録画しようとするコンテンツの容量を考えて、予め不要なコンテンツを削除しておく必要がある。また、録画途中でＨＤＤの記録容量が満たされてしまった場合には、録画動作が中断されてしまう。
【０００３】
一方、記録媒体に記録されているデータを削除又は無効化するデータ削除無効化装置に関し、ユーザが削除条件を設定すると、その条件を満たしているデータを自動的に削除するようにしたものが知られている（例えば、特許文献１参照）。また、光ディスクや磁気ディスク等の記録媒体に対して情報を記録・再生する情報記録再生装置に関し、記憶媒体の記憶領域の残量が少なくなったとき、一度再生された情報を自動的に消去するようにしたもの、及び保存する優先度の低い情報から自動的に消去するようにしたものが知られている（例えば、特許文献２参照）。
【０００４】
【特許文献１】
特開２００１−２８３５０１号公報
【特許文献２】
特開平１１−６６６９４号公報
【０００５】
【発明が解決しようとする課題】
ところが、上述した従来のハードディスクレコーダでは、録画途中でＨＤＤの記録容量が満たされてしまった場合、録画の停止、中止が余儀なくされてしまうため、録画を失敗してしまうことがあった。また、このような事態が起きないようにするためには、録画しようとする都度、ユーザが予め不要なコンテンツを削除する操作を行わなければならず、煩わしく使い勝手が悪かった。
【０００６】
なお、上述した特許文献１に記載のデータ削除無効化装置は、記録媒体の記録容量の残容量が少なくなった場合にデータを削除するというものではない。このため、記録媒体の記録容量が満たされてしまった場合には、ユーザが削除条件を設定してその条件を満たしているデータを削除しなければ、それ以上データを記録することはできない。また、上述した特許文献２に記載の情報記録再生装置は、ユーザのお気に入りの情報を削除しないように設定できるようにはなっていない。このため、ユーザのお気に入りの情報が多数記録されている場合等においては、記憶媒体の記憶領域の残量が少なくなったとき、それらお気に入りの情報が不測に削除されてしまう可能性がある。
【０００７】
本発明は、上記課題を解決するためになされたものであり、ユーザがコンテンツの削除作業を行うことなくコンテンツの録画が途中で停止、中止されてしまうことを防ぎ、また、ユーザのお気に入り等のコンテンツの消失を防ぐことができるハードディスクレコーダを提供することを目的とする。
【０００８】
【課題を解決するための手段】
上記目的を達成するために請求項１の発明は、放送局から配信されるテレビ放送信号を受信する受信手段と、受信手段で受信したテレビ放送信号を基に、本装置に接続されるディスプレイに映像を映し出すための映像信号を生成する映像信号生成手段と、映像信号生成手段により生成された映像信号を記録することによりテレビ放送信号に含まれるテレビ番組のコンテンツを録画するハードディスクと、ハードディスクに対するコンテンツの録画動作及び再生動作を制御する録画再生制御手段とを備えたハードディスクレコーダにおいて、録画動作中に、ハードディスクの記録容量の残容量を検出し、その残容量が所定値以下になった場合に、ハードディスクに既に録画されている古いコンテンツを自動的に削除する自動削除機能手段と、ハードディスクに記録される任意のコンテンツに対して自動削除機能手段による自動削除を実行させない自動削除防止設定をユーザの操作により施す自動削除防止設定手段と、録画再生制御手段によるコンテンツの録画動作及び再生動作に基づいて、コンテンツの録画日時及び再生回数を管理するコンテンツ管理手段とを備え、自動削除機能手段は、自動削除防止設定手段による自動削除防止設定が施されていないコンテンツの中から、コンテンツ管理手段により管理されるコンテンツの録画日時及び再生回数に基づいて、再生回数が１回以上のコンテンツに対して再生回数が最小であり録画した日時が最も古いコンテンツを削除するものである。
【０００９】
この構成においては、録画したコンテンツのうち、例えばユーザのお気に入りのコンテンツに対して自動削除防止設定が施される。また、コンテンツの録画日時及び再生回数が管理される。そして、録画動作中にハードディスクの記録容量の残容量が所定値以下になると、ハードディスクに既に録画されている古いコンテンツが自動的に削除され、これにより、ハードディスクの記録容量が確保されて録画動作が継続される。このとき、自動的に削除されるコンテンツは、自動削除防止設定が施されていないコンテンツの中から、再生回数が１回以上のコンテンツに対して再生回数が最小であり録画した日時が最も古いコンテンツが削除される。
【００１０】
請求項２の発明は、放送局から配信されるテレビ放送信号を受信する受信手段と、受信手段で受信したテレビ放送信号を基に、本装置に接続されるディスプレイに映像を映し出すための映像信号を生成する映像信号生成手段と、映像信号生成手段により生成された映像信号を記録することによりテレビ放送信号に含まれるテレビ番組のコンテンツを録画するハードディスクと、ハードディスクに対するコンテンツの録画動作及び再生動作を制御する録画再生制御手段とを備えたハードディスクレコーダにおいて、ハードディスクの記録容量の残容量を検出し、その残容量が所定値以下になった場合に、ハードディスクに既に録画されているコンテンツを所定の優先順位に従って自動的に削除する自動削除機能手段と、ハードディスクに記録される任意のコンテンツに対して自動削除機能手段による自動削除を実行させない自動削除防止設定をユーザの操作により施す自動削除防止設定手段とを備えたものである。
【００１１】
この構成においては、録画したコンテンツのうち、例えばユーザのお気に入りのコンテンツに対して自動削除防止設定が施される。そして、ハードディスクの記録容量の残容量が所定値以下になると、ハードディスクに既に録画されているコンテンツのうち自動削除防止設定が施されていないコンテンツが所定の優先順位に従って削除され、これにより、ハードディスクの記録容量が確保される。
【００１２】
請求項３の発明は、請求項２に記載のハードディスクレコーダにおいて、録画再生制御手段によるコンテンツの録画動作及び再生動作に基づいて、コンテンツの録画日時及び再生回数を管理するコンテンツ管理手段をさらに備え、自動削除機能手段は、自動削除防止設定手段による自動削除防止設定が施されていないコンテンツをコンテンツ管理手段により管理されるコンテンツの録画日時及び再生回数に基づく優先順位に従って削除するものである。
【００１３】
この構成においては、コンテンツの録画日時及び再生回数が管理され、ハードディスクの記録容量の残容量が所定値以下になると、自動削除防止設定が施されていないコンテンツが録画日時及び再生回数に基づく優先順位に従って削除される。
【００１４】
【発明の実施の形態】
以下、本発明を具体化した実施形態について図面を参照して説明する。図１において、ハードディスクレコーダ１は、放送局から配信されるテレビ放送信号を本装置に接続されるアンテナ２０を介して受信し、テレビ放送信号に含まれるコンテンツ（テレビ番組の映像）をＨＤＤ（ハードディスクドライブ）６に録画すると共に、ＨＤＤ６に録画したコンテンツを再生してその映像を本装置に接続されるディスプレイ３０に表示する装置である。このハードディスクレコーダ１は、ＨＤＤ６の記録容量の残容量が所定値以下になった場合にＨＤＤ６に過去に録画したコンテンツを所定の優先順位に従って自動的に削除する自動削除機能を有しており、これにより、ＨＤＤ６の記録容量を確保して録画動作を継続可能としている。また、録画されたコンテンツに対して、ユーザの操作により、自動削除機能によって自動的に削除されることを防止する自動削除防止設定を行えるようになっている。
【００１５】
ハードディスクレコーダ１は、リモコン２と、リモコン受信部３と、チューナ（受信手段）４と、映像信号生成部５と、ＨＤＤ６と、ＤＶＤ（デジタルビデオディスク）再生部７と、ＯＳＤ処理部８と、ＲＯＭ９と、これら各部を制御する制御部（録画再生制御手段、自動削除機能手段、自動削除防止設定手段、コンテンツ管理手段）１０とを備えている。
【００１６】
リモコン２は、受信するテレビ放送の選局、コンテンツの録画／再生、コンテンツの自動削除防止設定等、ハードディスクレコーダ１の各種動作を指示するためにユーザに操作される。リモコン２は、これら各種動作を指示するための各種操作キー（不図示）を備えており、各種操作キーを操作すると、その操作に応じた操作信号を赤外線信号で送出する。リモコン受信部３は、リモコン２から送出された操作信号を受信し、リモコン２の操作に対応する信号を制御部１３へ出力する。チューナ４は、制御部１０による制御のもと、その受信周波数をリモコン２で選局指示されたチャンネルに対応する周波数に同調させることにより、選局指示されたチャンネルのテレビ放送信号をアンテナ２０を介して受信する。映像信号生成部５は、チューナ４で受信したテレビ放送信号を復調し、本装置に接続されるディスプレイ３０に映像を映し出すための映像信号を生成する。映像信号生成部５にて生成された映像信号は、ＯＳＤ処理部８を介してディスプレイ３０に出力され、これにより、テレビ放送信号に含まれるコンテンツがディスプレイ３０に表示される。
【００１７】
ＨＤＤ６は、制御部１０による制御のもと、映像信号生成部５にて生成された映像信号を記録することによりテレビ放送信号に含まれるテレビ番組のコンテンツを録画し、また、記録された映像信号が読出される。ＨＤＤ６から読出された映像信号は、ＯＳＤ処理部８を介してディスプレイ３０に出力され、これにより、録画されていたコンテンツがディスプレイ３０に再生表示される。また、ＨＤＤ６は、制御部１０による制御のもと、録画したコンテンツのコンテンツ名、録画日時、再生回数、自動削除防止設定の設定内容を、自動削除機能により自動的に削除するコンテンツを選出するためのコンテンツ管理情報として各コンテンツ毎に対応付けて記録する。
【００１８】
ＤＶＤ再生部７は、制御部１０による制御のもと、外部記録媒体であるＤＶＤ４０に記録されている画像データを読取り、そのデータを基に映像信号を生成する。ＤＶＤ再生部７にて生成された映像信号は、ＯＳＤ処理部８を介してディスプレイ３０に出力され、これにより、ＤＶＤ４０に記録されているコンテンツがディスプレイ３０に表示される。ＯＳＤ処理部８は、映像信号に各種オンスクリーン表示信号を重畳する。これにより、オンスクリーン表示信号による画像が重ねられた映像がディスプレイ３０に表示される。ＲＯＭ９は、制御部１０の動作プログラムを格納している。
【００１９】
制御部１０は、リモコン２による録画操作に応じて、ＨＤＤ６へのコンテンツの録画動作を制御する。また、制御部１０は、コンテンツの録画動作中において、ＨＤＤ６の記録容量の残容量が所定値以下になった場合に、過去に録画したコンテンツを所定の優先順位に従って自動的に削除する自動削除機能を実行し、これにより、ＨＤＤ６の記録容量を確保して録画動作を継続可能とする。この自動削除機能により自動的に削除するコンテンツの選出については後述する。
【００２０】
また、制御部１０は、コンテンツの録画開始にあたって、その録画日時を録画するコンテンツに対応付けてＨＤＤ６に記録する制御を行い、コンテンツの録画日時を管理する。また、コンテンツの録画終了後には、自動削除防止設定を行う。自動削除防止設定とは、自動削除機能によってコンテンツが自動的に削除されることを防止する設定であり、ユーザの操作により、任意のコンテンツに対して設定できるようになっている。
【００２１】
この自動削除防止設定は、以下のようにして行われる。まず、制御部１０は、コンテンツの録画が終了すると、図２に示すように情報確認画面７０をディスプレイ３０に表示する。情報確認画面７０には、録画を終えたコンテンツに対するコンテンツ情報７１と、過去に録画されているコンテンツに対するコンテンツ情報７２が表示される。コンテンツ情報７１は、録画したコンテンツの番組名等が表示されるコンテンツ名７１ａと、録画した日付が表示される日付７１ｂと、録画開始時刻が表示される時間７１ｃと、自動削除防止設定の設定内容が表示される自動削除防止設定７１ｄとから構成されている。コンテンツ情報７２も、コンテンツ情報７１と同様に、コンテンツ名７２ａと、日付７２ｂと、時間７２ｃと、自動削除防止設定７２ｄとから構成されている。図示の例では、録画を終えたコンテンツは、コンテンツ名が「プロ野球」、録画した日付が「０２／０６／１５」、録画開始時刻が「２１：００」、自動削除防止設定の設定内容が「ＯＦＦ」であることが示されている。また、過去に録画したコンテンツがあり、そのコンテンツは、コンテンツ名が「天気予報」、録画した日付が「０２／０６／１０」、録画開始時刻が「２０：００」、自動削除防止設定の設定内容が「ＯＮ」であることが示されている。
【００２２】
次に、ユーザは、リモコン２の操作キーを操作して、コンテンツ情報７１の自動削除防止設定７１ｄを選択し、自動削除防止設定７１ｄの表示を「ＯＮ」又は「ＯＦＦ」の何れかに設定する。「ＯＮ」に設定すると、自動削除防止設定が施された状態となり、自動削除機能による自動削除の対象外とされ、自動削除機能によってコンテンツが自動的に削除されることが防止される。「ＯＦＦ」に設定すると、自動削除防止設定が施されていない状態となり、自動削除防止機能による自動削除の対象とされる。
【００２３】
そして、制御部１０は、リモコン２による設定終了操作に応じて情報確認画面７０を閉じ、そのときの自動削除防止設定７１ｄの設定内容（ＯＮ又はＯＦＦ）をコンテンツに対応付けてＨＤＤ６に記録する制御を行う。このようにして、録画を終えたコンテンツに対して自動削除防止設定が行われる。
【００２４】
なお、自動削除防止設定７１ｄには、初期の状態では「ＯＦＦ」の表示を行っておくことにより、ユーザが「ＯＮ」を選択せずに設定終了操作を行った場合には、設定内容が自動的に「ＯＦＦ」となるようにされている。また、過去に録画したコンテンツに対する自動削除防止設定７２ｄを選択し、その表示を「ＯＮ」又は「ＯＦＦ」の何れかに選択することで、過去に録画したコンテンツに対しても、自動削除防止設定の設定内容を変更できるようになっている。
【００２５】
また、制御部１０は、リモコン２による再生操作に応じて、ＨＤＤ６からのコンテンツの再生動作を制御する。また、制御部１０は、ＨＤＤ６に録画されているコンテンツの再生を行う度に、そのコンテンツの再生回数をカウントし、その再生回数を再生したコンテンツに対応付けてＨＤＤ６に記録する制御を行い、コンテンツの再生回数を管理する。
【００２６】
次に、上記自動削除機能により削除するコンテンツの選出について説明する。
制御部１０は、ＨＤＤ６に記録されているコンテンツの録画日時、再生回数、自動削除防止設定の内容を基に、自動削除防止設定が施されていない（自動削除防止設定の設定内容がＯＦＦである）コンテンツの中から、再生回数が１回以上のコンテンツに対して再生回数が最小であり録画した日時が最も古いものを、自動削除機能により自動的に削除するコンテンツとして選出する。
【００２７】
例えば、ＨＤＤ６には、図３に示すように、所定の記憶エリア６ａにコンテンツの録画日時、再生回数、自動削除防止設定の設定内容が各コンテンツに対応付けて記録されているとする。すなわち、ＨＤＤ６には、コンテンツ名が「ニュース」「天気予報」「相撲」の３つのコンテンツが録画されており、コンテンツ名「ニュース」のコンテンツは、録画した日付が「０２／０６／０５」、録画開始時刻が「１９：００」、再生回数が「５」、自動削除防止設定の内容が「ＯＮ」である。また、コンテンツ名「天気予報」のコンテンツは、録画した日付が「０２／０６／１０」、録画開始時刻が「２０：００」、再生回数が「２」、自動削除防止設定の内容が「ＯＦＦ」であり、コンテンツ名「相撲」のコンテンツは、録画した日付が「０２／０６／１５」、録画開始時刻が「２１：００」、再生回数が「０」、自動削除防止設定の内容が「ＯＦＦ」である。
【００２８】
この場合、まず、自動削除防止設定の内容がＯＦＦのコンテンツは、コンテンツ名が「天気予報」「相撲」の２つであるため、これら２つののコンテンツを自動削除の対象とする。次に、これら２つのコンテンツの中から、再生回数が１回以上であるコンテンツ名「天気予報」のコンテンツを選出する。この時点で、コンテンツは１つに絞り込まれたので、このコンテンツを自動削除するコンテンツとして選出する。
【００２９】
なお、再生回数が１回以上であるコンテンツが複数存在する場合には、次に、それらの中から再生回数が最小のものを選出し、それでも、コンテンツが１つに絞り込めない場合は、さらに、それらの中から録画した日付が最も古いものを選出する。それでも、コンテンツが１つに絞り込めない場合には、さらに、それらの中から録画開始時刻が最も古いものを選出する。最終的に、録画した日付が最も古いコンテンツの中から録画開始時刻が最も古いものを選出することにより、コンテンツは必ず１つに絞り込まれる。
【００３０】
次に、上記構成のハードディスクレコーダ１の録画動作について、図４及び図５のフローチャートを参照して説明する。まず、ハードディスクレコーダ１は、リモコン２での録画開始操作によりコンテンツの録画を開始する場合には（＃１でＹＥＳ）、その録画日時（録画を開始した日付と録画開始時刻）をＨＤＤ６に記録し（＃２）、録画処理を開始してコンテンツをＨＤＤ６へ録画する（＃３）。
【００３１】
そして、ＨＤＤ６の記録容量の残容量が所定値以下でなければ（＃４でＮＯ）、リモコン２での録画終了操作によりコンテンツの録画を終えない場合には（＃５でＮＯ）、録画処理を継続する（＃３）。そして、リモコン２での録画終了操作によりコンテンツの録画を終える場合には（＃５でＹＥＳ）、録画処理を終了し（＃６）、録画を終えたコンテンツに対して自動削除防止設定処理を行う（＃７）。この自動削除防止設定処理では、上述したように、リモコン２の操作により自動削除防止設定をＯＮにするかＯＦＦにするかの設定が行われ、ハードディスクレコーダ１は、その設定内容をＨＤＤ６に記録する。
【００３２】
また、ハードディスクレコーダ１は、上記＃４において、ＨＤＤ６の記録容量の残容量が所定値以下であれば、自動削除機能を実行する（＃８）。図５において、自動削除機能では、まず、自動削除防止設定がＯＦＦのコンテンツが有るか否かを判断する（＃９）。次に、自動削除防止設定がＯＦＦのコンテンツが有れば（＃９でＹＥＳ）、その中で再生回数が１回以上のコンテンツが有るか否かを判断する（＃１０）。そして、再生回数が１回以上のコンテンツが有れば（＃１０でＹＥＳ）、その中で、再生回数が最小のコンテンツを選出する（＃１１）。
また、その中で、録画した日付が一番古いコンテンツを選出し（＃１２）、さらに、その中で、録画開始時刻が一番古いコンテンツを選出し（＃１３）。そのコンテンツを削除する（＃１４）。これらコンテンツの選出は、ＨＤＤ６に記録されているコンテンツ管理情報を基に行われる。なお、上記＃１１の処理において選出したコンテンツが１つだけであった場合には、上記＃１２及び＃１３の処理を省略して、上記＃１４の処理にてそのコンテンツを削除する。その後、上記＃５以降の処理を行う。
【００３３】
また、上記＃９において自動削除防止設定がＯＦＦのコンテンツが無かった場合、及び上記＃１０において再生回数が１回以上のコンテンツが無かった場合には（＃９でＮＯ）、録画処理を終了し（＃１５）、ディスプレイ３０にエラー表示を行い（＃１６）、その後、上記＃７以降の処理を行う。
【００３４】
このような構成のハードディスクレコーダ１によれば、録画動作中にＨＤＤ６の記録容量の残容量が所定値以下になると、自動削除機能が実行されてＨＤＤ６に過去に録画されたコンテンツが自動的に削除され、これにより、ＨＤＤ６の記録容量が確保されて録画動作が継続される。このとき、自動削除機能により自動的に削除されるコンテンツは、自動削除防止設定がＯＦＦのコンテンツの中から、再生回数が１回以上のコンテンツに対して再生回数が最小であり録画した日時が最も古いコンテンツが削除される。
【００３５】
なお、本発明は、上記実施形態の構成に限られず、種々の変形が可能である。
例えば、上記実施形態において、タイマ予約録画を行う場合には、録画予約時にＨＤＤの記録容量の残容量を検出し、残容量が不足の場合に、コンテンツが自動的に削除される旨を表示するようにしてもよい。また、タイマ予約録画を行う場合には、録画予約時に自動削除防止設定を行うようにすればよい。また、自動削除防止設定は、コンテンツの録画終了時以外に、いつでもリモコンの操作によって行えるようにしてもよい。また、自動削除機能により自動的に削除するコンテンツは、上記実施形態で説明した優先順位に限らず、各種の優先順位に従って選出してもよい。
【００３６】
【発明の効果】
以上説明したように請求項１の発明によれば、ハードディスクの記録容量の残容量が所定値以下になった場合、ハードディスクに録画されているコンテンツを自動的に削除するため、録画動作が途中で停止、中止されてしまうことを防止できると共に、ユーザは煩わしいコンテンツの削除作業を行う必要がなくなる。また、任意のコンテンツに対して自動削除防止設定を施すことができるため、ユーザのお気に入り等のコンテンツに対して自動削除防止設定を施しておくことにより、ユーザのお気に入り等のコンテンツが不測に消失されてしまうことを防止できる。さらに、再生回数が１回以上のコンテンツを自動的に削除するため、１回も再生されていない（すなわちユーザが１度も視聴していない）コンテンツが削除されることがなく、また、録画した日時が最も古いコンテンツを自動的に削除するため、２つ以上のコンテンツが同時に削除されることがなく必要以上にコンテンツが削除されることがない。
【００３７】
請求項２の発明によれば、ハードディスクの記録容量の残容量が所定値以下になった場合、ハードディスクに録画されているコンテンツを自動的に削除するため、録画動作が途中で停止、中止されてしまうことを防止できると共に、ユーザは煩わしいコンテンツの削除作業を行う必要がなくなる。また、任意のコンテンツに対して自動削除防止設定を施すことができるため、ユーザのお気に入り等のコンテンツに対して自動削除防止設定を施しておくことにより、ユーザのお気に入り等のコンテンツが不測に消失されてしまうことを防止できる。
【００３８】
請求項３の発明によれば、録画日時及び再生回数に基づく優先順位に従ってコンテンツを自動的に削除するため、例えば録画して間もないコンテンツや再生回数の多いコンテンツ等の有用性の高いコンテンツは保存し、それ以外の有用性の低いコンテンツを削除することができる。
【図面の簡単な説明】
【図１】本発明の一実施形態によるハードディスクレコーダの概略構成を示す電気的ブロック構成図。
【図２】同装置の情報確認画面の表示例を示す図。
【図３】同装置のＨＤＤに記録されるコンテンツ管理情報を説明するイメージ図。
【図４】同装置の録画動作を示すフローチャート。
【図５】同装置の自動削除機能処理を示すフローチャート。
【符号の説明】
１  ハードディスクレコーダ
４  チューナ（受信手段）
５  映像信号生成部
６  ＨＤＤ（ハードディスクドライブ）
１０  制御部（録画再生制御手段、自動削除機能手段、自動削除防止設定手段、コンテンツ管理手段）
【図１】
2004208204.tif 000003
【図２】
2004208204.tif 000004
【図３】
2004208204.tif 000005
【図４】
2004208204.tif 000006
【図５】
2004208204.tif 000007